(57)【要約】【課題】  複数種類の液体を同時に取り出すのに好適な液体取出装置を提供を提供する。【解決手段】  ２つの収容部１１ａと両収容部１１ａを区画する仕切り壁１１ｂと仕切り壁１１ｂに形成されたスリット１１ｃを有する収容ケース１１と、底面側が広がったスタンドパックの形態を有する２つの液体収納部２５が連結部（中央封止部２４）を介して繋がっている態様を有する液体収納袋２０とを用い、両液体収納部２５の底面（底面フィルム２２）が上を向くように液体収納袋２０を上下逆さにした状態で各液体収納部２５を各収容部１１ａにそれぞれ挿入して、挿入後の両液体収納部２５の底面（底面フィルム２２）に２つのポンプユニット１３のチューブ１３ｄを各液体収納部２５の底面（底面フィルム２２）にそれぞれ突き刺し、両ポンプユニット１３を同時に操作することにより液体収納袋２０から２種類の液体を同時に取り出す。【選択図】  図１
2007308181.tif 000002
【特許請求の範囲】
【請求項１】
液体収納袋を収容可能な容器と、容器に収容された液体収納袋に突き刺し可能なチューブを有する液体取出手段とを備えた液体取出装置において、
液体収納袋は種類が異なる液体を収納した複数の液体収納部が連結部を介して繋がっている態様を有し、
容器は複数の収容部と収容部を区画する仕切り壁と仕切り壁に形成されたスリットとを有していて、液体収納袋は連結部を仕切り壁のスリットに挿入され且つ各液体収納部を各収容部にそれぞれ挿入されることで容器に収容可能であり、
液体取出手段は容器に収容された液体収納袋の各液体収納部に突き刺し可能な複数のチューブを有していて該液体収納袋から複数種類の液体の同時取り出しを可能としている、
ことを特徴とする液体取出装置。
【請求項２】
液体収納袋は底面側が広がったスタンドパックの形態を有する複数の液体収納部が連結部を介して繋がっている態様を有していて、該液体収納袋は液体収納部の底面が上を向くように上下逆さにした状態で連結部を仕切り壁のスリットに挿入され且つ各液体収納部を各収容部にそれぞれ挿入されることで容器に収容可能であり、
液体取出手段の複数のチューブは容器に収容された液体収納袋の各液体収納部の底面にそれぞれ突き刺し可能である、
ことを特徴とする請求項１に記載の液体取出装置。
【請求項３】
容器は、複数の収容部と収容部を区画する仕切り壁と仕切り壁に形成されたスリットとを有する収容ケースと、収容ケースを着脱自在に覆うカバーケースとを備え、
カバーケースには液体取出手段としてチューブ付きの複数のポンプユニットが設けられ、ポンプユニットには各ポンプユニットに対応した複数の液体取出口を有しポンプユニットを同時に操作するための取出ヘッドが設けられている、
ことを特徴とする請求項１または２に記載の液体取出装置。
【発明の詳細な説明】
【技術分野】
【０００１】
本発明は、容器に収容された液体収納袋から液体を取り出す液体取出装置に関する。
【背景技術】
【０００２】
この種の液体取出装置は、液体収納袋を収容可能な容器と、容器に収容された液体収納袋に突き刺し可能なチューブを有する液体取出手段とを備えている。この液体取出装置で用いられる液体収納袋は単一種類の液体を収納するものであり、該液体収納袋を容器に収容した後に液体取出手段のチューブを突き刺すことにより、該液体取出手段によって液体収納袋から単一種類の液体を取り出すことができる。
【特許文献１】特許第２６６１８６８号公報
【発明の開示】
【発明が解決しようとする課題】
【０００３】
従前の液体取出装置は単一種類の液体を収納した液体収納袋を容器に収容して使用するものであるため、他の種類の液体を併用するときには、種類が異なる液体収納袋を収容した装置を別途用意しておく面倒があると共に複数の装置から別々に液体を取り出す面倒がある。
【０００４】
本発明は前記事情に鑑みて創作されたもので、その目的とするところは、複数種類の液体を同時に取り出すのに好適な液体取出装置を提供することにある。
【課題を解決するための手段】
【０００５】
前記目的を達成するため、本発明は、液体収納袋を収容可能な容器と、容器に収容された液体収納袋に突き刺し可能なチューブを有する液体取出手段とを備えた液体取出装置において、液体収納袋は種類が異なる液体を収納した複数の液体収納部が連結部を介して繋がっている態様を有し、容器は複数の収容部と収容部を区画する仕切り壁と仕切り壁に形成されたスリットとを有していて、液体収納袋は連結部を仕切り壁のスリットに挿入され且つ各液体収納部を各収容部にそれぞれ挿入されることで容器に収容可能であり、液体取出手段は容器に収容された液体収納袋の各液体収納部に突き刺し可能な複数のチューブを有していて該液体収納袋から複数種類の液体の同時取り出しを可能としている、ことをその特徴とする。
【０００６】
この液体取出装置によれば、液体収納袋を容器に収容し且つ液体取出手段の複数のチューブを液体収納袋の各液体収納部に突き刺した状態で、液体取出手段を通じて液体収納袋から複数種類の液体を同時に簡単に取り出すことができる。依って、複数種類の液体を併用するに際して、従前のように種類が異なる液体収納袋を収容した装置を別々に用意しておいて複数の装置から別々に液体を取り出す面倒を排除できる。
【０００７】
また、容器の複数の収容部はスリット付きの仕切り壁によって区画されているので、連結部を仕切り壁のスリットに挿入し且つ各液体収納部を各収容部にそれぞれ挿入することにより、容器への液体収納袋の収容を的確且つスムースに行えると共に、挿入後の液体収納部の形態をほぼ同じにして各液体収納部を液体取出手段のチューブが突き刺し易い形態とすることができる。
【発明の効果】
【０００８】
本発明によれば、複数種類の液体を同時に取り出すのに好適な液体取出装置を提供することができる。
【０００９】
本発明の前記目的とそれ以外の目的と、構成特徴と、作用効果は、以下の説明と添付図面によって明らかとなる。
【発明を実施するための最良の形態】
【００１０】
図１〜図３は本発明（液体取出装置）の一実施形態を示すもので、図中の１０はポンプ動作による液体取り出しを可能とした容器、２０は２種類の液体を収納した液体収納袋である。
【００１１】
まず、液体取出装置を構成する容器１０と該容器１０に収容される液体収納袋２０の構成について順に説明する。
【００１２】
容器１０は、収容ケース１１と、カバーケース１２と、２つのポンプユニット１３と、取出ヘッド１４とを備えている。
【００１３】
収容ケース１１は、上端開口の２つの収容部１１ａと、両収容部１１ａを区画する仕切り壁１１ｂと、仕切り壁１１ｂの中央に形成された縦長のスリット１１ｃと、カバーケース１２の下端が当接する段差１１ｄと、カバーケース１２の内面凸部１２ｂに係合する６つの弾性係合片１１ｅを有する。各収容部１１ａの深さ及び仕切り壁１１ｂの高さは収容ケース１１の内部空間の深さと一致し、また、スリット１１ｃの深さは各収容部１１ａの深さ及び仕切り壁１１ｂの高さと一致している。
【００１４】
カバーケース１２は収容ケース１１を着脱自在に覆うものであり、各ポンプユニット１３のナット部１３ｃがそれぞれ取り付けられる２つの取付筒１２ａと、収容ケース１１の各弾性係合片１１ｅに係合する内面凸部１２ｂを有する。各取付筒１２ａはカバーケース１２を収容ケース１１に被せて取り付けた状態で該収容ケース１１の各収容部１１ａの中心の上方にそれぞれ位置する。
【００１５】
各ポンプユニット１３は、ポンプ機構（図示省略）を内蔵したユニット本体１３ａと、ユニット本体１３ａの上端から突出したポンプ機構駆動用の操作筒１３ｂと、ユニット本体１３の外側に設けられたナット部１３ｃと、ユニット本体１３ａの下端に一体形成された先鋭のチューブ１３ｄを有する。操作筒１３ｂはバネ材（図示省略）によって上方に付勢されていてその上下動によってポンプ機構を動作するものであり、該操作筒１３ｂにはポンプ機構に通じる内部通路（図示省略）が設けられている。また、チューブ１３ｄは後述する液体収納袋２０の底面フィルム２２に突き刺せる硬度を有しており、該チューブ１３ｄには複数の液体吸込孔１３ｄ１と該液体吸込孔１３ｄ１からポンプ機構に通じる内部通路（図示省略）が設けられている。各ポンプユニット１３のナット部１３ｃはカバーケース１２の各取付筒１２ａにそれぞれ螺合して取り付けられており、該取付状態において各チューブ１３ｄは各収容部１１ａの中心にそれぞれ位置する。
【００１６】
取出ヘッド１４は、２つの液体取出口１４ａと、各ポンプユニット１３の操作筒１３ｂがそれぞれ嵌合される２つの嵌合筒１４ｂと、各嵌合筒１４ｂの内部通路と各液体取出口１４ａとを連通させる２つの液体導出通路１４ｃを有している。取出ヘッド１４の各嵌合筒１４ｂは各ポンプユニット１３の操作筒１３ｂにそれぞれ嵌合して取り付けられており、該取付状態では取出ヘッド１４によって両ポンプユニット１３の操作筒１３ｂを同時に押し下げることができる。
【００１７】
液体収納袋２０は、２枚の側面フィルム２１と２枚の底面フィルム２２とから構成されていて、２枚の側面フィルム２１の外周縁にヒートシールによる周縁封止部２３を有すると共に２枚の側面フィルム２１の中央に中央封止部２４を有する。この液体収納袋２０は中央封止部２４を境として２つの液体収納部２５が並設され各液体収納部２５の底面側が広がったスタンドパックの形態を有している。換言すれば、液体収納袋２０は、底面側が広がったスタンドパックの形態を有する２つの液体収納部２５が両者を連結する部分（中央封止部２４）を介して繋がっている態様を有している。
【００１８】
因みに、各側面フィルム２１には互いに積層接着された延伸ナイロンフィルムとポリオレフィン系フィルムとから成りポリオレフィン系フィルムが袋の内側に位置しているラミネートフィルムが用いられ、また、各底面フィルム２２には互いに積層接着された未延伸ナイロンフィルムとポリオレフィン系フィルムとから成りポリオレフィン系フィルムが袋の内側に位置しているラミネートフィルムが用いられている。
【００１９】
前記液体収納袋２０の２つの液体収納部２５に収納される液体の組み合わせには、同時に取り出して使用する頻度の高い液体の組み合わせ、例えば、シャンプーとリンス等のヘアケア剤の組み合わせや、毛染め剤の組み合わせや、パーマ剤の組み合わせや、歯磨き剤の組み合わせや、接着剤の組み合わせ等が適宜採用できる。
【００２０】
次に、前記液体取出装置の使用方法について説明する。
【００２１】
空の収容ケース１１に液体収納袋２０を収容するときには、図１に示すように両液体収納部２５の底面（底面フィルム２２）が上を向くように液体収納袋２０を上下逆さにし、必要に応じて該液体収納袋２０の下端部分及び側縁部分を折り曲げて収納液体を絞り上げた状態で、該液体収納袋２０の連結部（中央封止部２４）を仕切り壁１１ｂのスリット１１ｃに挿入し且つ各液体収納部２５を各収容部１１ａにそれぞれ挿入する。
【００２２】
収容ケース１１の２つの収容部１１ａはスリット１１ｃ付きの仕切り壁１１ｂによって区画されているので、連結部（中央封止部２４）を介して繋がっている２つの液体収納部２５を各収容部１１ａに挿入する作業を的確且つスムースに行えると共に、挿入後の両液体収納部２５の形態を各液体収納部２５に各ポンプユニット１３のチューブ１３ｄが突き刺し易い形態、具体的には両液体収納部２５の底面（底面フィルム２２）が平たく張った形態とすることができる。
【００２３】
そして、各ポンプユニット１３及び取出ヘッド１４が取り付けられたカバーケース１２を収容ケース１１に被せて、その下端が収容ケース１１の段差１１ｄに当接する位置まで押し下げる。この押し下げによって各ポンプユニット１３のチューブ１３ｄが各液体収納部２５の底面（底面フィルム２２）に突き刺さって各チューブ１３ｄの吸込孔１３ｄ１が各液体収納部２５の内側に挿入される。また、カバーケース１２の内面凸部１２ｂが収容ケースの弾性係合片１１ｅそれぞれに係合する。
【００２４】
収容ケース１１への液体収納袋２０の挿入によって両液体収納部２５の底面（底面フィルム２２）は平たく張った形態となっているため、カバーケース１２の押し下げに依る各液体収納部２５の底面（底面フィルム２２）への各チューブ１３ｄの突き刺しを容易且つ確実に行うことができる。また、各底面フィルム２２として互いに積層接着された未延伸ナイロンフィルムとポリオレフィン系フィルムとから成りポリオレフィン系フィルムが袋の内側に位置しているラミネートフィルムを用いているので、各チューブ１３ｄが突き刺さったときに各底面フィルム２２が裂けることを防止して各底面フィルム２２を各チューブ１３ｄに隙間無く密着させることができる。
【００２５】
この後に液体収納袋２０の各液体収納部２５に収納されている液体を取り出すときには、取出ヘッド１４の押し下げと復帰を少なくとも１回以上行う。取出ヘッド１４を押し下げると両ポンプユニット１３の操作筒１３ｂを同時に押し下げられ、取出ヘッド１４が復帰すると両ポンプユニット１３の操作筒１３ｂを同時に復帰する。
【００２６】
この操作によって各液体収納部２５に収納されている液体が各チューブ１３ｄを通じて各ポンプ機構に吸い上げられ、各ポンプ機構から各操作筒１３ｂの内部通路及び取出ヘッド１４の各液体導出通路１４ｃを通じて各液体取出口１４ａに送り込まれて、液体収納袋２０に収納されている２種類の液体が２つの液体取出口１４ａから同時に取り出される。また、各底面フィルム２２は各チューブ１３ｄに隙間無く密着しているため、各液体収納部２５内に空気が入ることを防止して各液体収納部２５内の液体を残らず取り出すことができる。
【００２７】
前述の液体取出装置によれば、液体収納袋２０を収容ケース１１に収容し且つ２つのポンプユニット１３のチューブ１３ｄを液体収納袋２０の各液体収納部２５に突き刺した状態で、取出ヘッド１４により両ポンプユニット１３を同時に操作することにより、液体収納袋２０から２種類の液体を同時に取り出すことができる。依って、２種類の液体を併用するに際して、従前のように種類が異なる液体収納袋を収容した装置を別々に用意しておいて２つの装置から別々に液体を取り出す面倒を排除できる。
【００２８】
また、収容ケース１１の２つの収容部１１ａはスリット１１ｃ付きの仕切り壁１１ｂによって区画されているので、連結部（中央封止部２４）を仕切り壁１１ｂのスリット１１ｃに挿入し且つ各液体収納部２５を各収容部１１ａにそれぞれ挿入することにより、収容ケース１１への液体収納袋２０の収容を的確且つスムースに行えると共に、挿入後の両液体収納部２５の形態をほぼ同じにして各液体収納部２５を各ポンプユニット１３のチューブ１３ｄが突き刺し易い形態とすることができる。
【００２９】
さらに、液体収納袋２０として底面側が広がったスタンドパックの形態を有する２つの液体収納部２５が連結部（中央封止部２４）を介して繋がっている態様を有するものを用いて、両液体収納部２５の底面（底面フィルム２２）が上を向くように液体収納袋２０を上下逆さにした状態で各液体収納部２５を各収容部１１ａにそれぞれ挿入するので、挿入後の両液体収納部２５の底面（底面フィルム２２）を平たく張った形態にして、カバーケース１２の押し下げに依る各液体収納部２５の底面（底面フィルム２２）への各チューブ１３ｄの突き刺しを容易且つ確実に行うことができる。
【００３０】
さらにまた、液体取出手段としてチューブ１３ｄ付きのポンプユニット１３を２つ用い、両ポンプユニット１３を各ポンプユニット１３に対応した２つの液体取出口１４ａが有する取出ヘッド１４で同時に操作できるので、取出ヘッド１４の操作によって２種類の液体が２つの液体取出口１４ａから同時に且つ簡単に取り出すことができる。
【００３１】
さらにまた、液体収納袋２０の各液体収納部２５の底面フィルム２２として互いに積層接着された未延伸ナイロンフィルムとポリオレフィン系フィルムとから成りポリオレフィン系フィルムが袋の内側に位置しているラミネートフィルムを用いているので、各チューブ１３ｄが突き刺さったときに各底面フィルム２２が裂けることを防止して各底面フィルム２２を各チューブ１３ｄに隙間無く密着させることができると共に、各液体収納部２５内に空気が入ることを防止して各液体収納部２５内の液体を残らず取り出すことができる。
【００３２】
尚、前述の液体取出装置における２つのポンプユニット１３として１回の操作によって取り出される液体量が異なるポンプユニットを併用すれば、２つの液体取出口１４ａから同時に取り出される液体の量（比率）を異ならせることもできる。この場合、液体収納袋２０として液体収納量が異なる２つの液体収納部２５が連結部（中央封止部２４）を介して繋がっている態様を有するものを用いれば、一方の液体収納部２５内の液体が他方の液体収納部２５内の液体よりも先に無くなってしまうことを防止できる。
【００３３】
また、前述の液体取出装置における液体取出口１４ａを１つにすると共に２つの液体導出通路１４ｃをその途中で合流して１つの液体取出口１４ａに通じるようにすれば、２種類の液体を取り出し直前で混合して該混合液体を１つの液体取出口１４ａから取り出すこともできる。
【００３４】
図４（Ａ）は前記液体収納袋２０の変形例を示す。同図に示した液体収納袋２０-1は、連結部（中央封止部２４）に上端から底面側に延びる切り込み２６を設けた点で、前記液体収納袋２０と構成を異にする。この液体収納袋２０-1によれば、液体収納袋２０-1を収容ケース１１に収容するときにおける該液体収納袋２０-1の端部分の折り曲げを切り込み２６を利用して容易に行うことができる。
【００３５】
図４（Ｂ）は前記液体収納袋２０の他の変形例を示す。同図に示した液体収納袋２０-2は、連結部（中央封止部２４）に上端から底面側に延びる切り込み２６を設けた点と、各液体収納部２５の両側に凹所２７を設けた点で、前記液体収納袋２０と構成を異にする。この液体収納袋２０-2によれば、液体収納袋２０-2を収容ケース１１に収容するときにおける該液体収納袋２０-2の端部分の折り曲げを切り込み２６及び凹所２７を利用して容易に行うことができる。
【００３６】
図５（Ａ）は前記収容ケース１１の変形例を示す。同図に示した収容ケース１１-1は、スリット１１ｃ１を仕切り壁１１ｂの端に設けた点で、前記収容ケース１１と構成を異にする。図５（Ｂ）は図５（Ａ）に示した収容ケース１１-1に液体収納袋２０を収容した状態を示すもので、液体収納袋２０の連結部（中央封止部２４）は仕切り壁１１ｂの端に設けたスリット１１ｃ１に挿入され且つ各液体収納部２５は各収容部１１ａにそれぞれ挿入されている。
【００３７】
図６は前記収容ケース１１の他の変形例を示す。同図に示した収容ケース１１-2は、スリット１１ｃ２の深さＤｃ２を各収容部１１ａの深さ及び仕切り壁１１ｂの高さよりも小さくした点で、前記収容ケース１１と構成を異にする。この収容ケース１１-2は図４（Ａ）と図４（Ｂ）に示した切り込み２６付きの液体収納袋２０-1，２０-2を用いる場合に適しており、該液体収納袋２０-1，２０-2を収容ケース１１-2に収容するときには各々の切り込み２６が仕切り壁１１ｂのスリット１１ｃ２下側部分に差し込まれる。
【００３８】
図７は前記収容ケース１１のさらに他の変形例を示す。同図に示した収容ケース１１-3は、仕切り壁１１ｂからスリット１１ｃを除外した点で、前記収容ケース１１と構成を異にする。この収容ケース１１-3を用いる場合には単一種類の液体を収納した２種類の液体収容袋３０、例えば、前記液体収納袋２０を連結部（中央封止部２４）で分断して得た２つの液体収納袋３０を各収容部１１ａにそれぞれ挿入する。
【図面の簡単な説明】
【００３９】
【図１】本発明の一実施形態を示す液体取出装置の分解斜視図である。
【図２】図１に示した液体取出装置の縦断面図である。
【図３】図１及び図２に示した液体収納袋の斜視図である。
【図４】図１及び図２に示した液体収納袋の変形例を示す斜視図である。
【図５】図１及び図２に示した収容ケースの変形例を示す斜視図である。
【図６】図１及び図２に示した収容ケースの他の変形例を示す斜視図である。
【図７】図１及び図２に示した収容ケースのさらに他の変形例を示す斜視図である。
【符号の説明】
【００４０】
１０…容器、１１，１１-1，１１-2…収容ケース、１１ａ…収容部、１１ｂ…仕切り壁、１１ｃ，１１ｃ１，１１ｃ２…スリット、１２…カバーケース、１３…ポンプユニット、１３ｂ…操作筒、１３ｄ…チューブ、１４…取出ヘッド、１４ａ…液体取出口、２０，２０-1，２０-2…液体収納袋、２４…中央封止部（連結部）、２５…液体収納部。
【図１】
2007308181.tif 000003
【図２】
2007308181.tif 000004
【図３】
2007308181.tif 000005
【図４】
2007308181.tif 000006
【図５】
2007308181.tif 000007
【図６】
2007308181.tif 000008
【図７】
2007308181.tif 000009